(57)【特許請求の範囲】
【請求項１】
提示する資料を撮影するズーム機能付き撮像手段と、
前記撮像手段のズーム倍率を調整する調整手段と、
外部から入力された画像信号の画像方式を識別する識別手段と、
前記調整手段で調整されたズーム倍率に応じて、前記外部から入力された１画面分の画像信号から画像信号を切り出す切り出し手段と、
前記切り出し手段で切り出された画像信号を、前記識別手段の識別結果に基づき、前記撮像手段の画像方式の１画面分の画像信号に変換する変換手段と、
前記撮像手段から出力された画像信号と前記変換手段から出力された画像信号とのいずれか一方を選択する選択手段とを備え、
前記選択手段で選択された画像信号が外部に出力される
資料提示装置。
【請求項２】
請求項１に記載の資料提示装置において、
前記撮像手段はパン，チルト機能をさらに有しており、
前記撮像手段のパン，チルト動作を指示する指示手段をさらに備えており、
前記切り出し手段は、前記外部から入力された１画面分の画像信号から、前記指示手段で指示されたパン，チルト動作に応じた画面位置の画像信号を切り出す
資料提示装置。
【請求項３】
請求項１または２に記載の資料提示装置において、
前記変換手段は、
前記外部から入力された画像信号の書き込み及び読み出しを行うための記憶手段と、
前記記憶手段への画像信号の書き込み及び読み出しを制御する制御手段と、
前記記憶手段から読み出された画像信号を、前記識別手段の識別結果に基づいて補間及び／または間引きする補間／間引き手段と
を含んでおり、
前記制御手段が、前記記憶手段内の１画面分の画像信号から画像信号を切り出して読み出すことにより、前記切り出し手段を兼ねている
資料提示装置。
【請求項４】
請求項１乃至３のいずれかに記載の資料提示装置において、
前記識別手段は、
前記外部から入力された画像信号中の水平同期信号の繰り返し周期内での基準クロックの入力数を計数する第１の計数手段と、
前記外部から入力された画像信号中の垂直同期信号の繰り返し周期内での前記水平同期信号の入力数を計数する第２の計数手段と、
前記第１の計数手段及び前記第２の計数手段の計数結果と画像方式を示す情報とを対応させて格納した記憶手段とを含む
資料提示装置。
【発明の詳細な説明】
【０００１】
【発明の属する技術分野】
本発明は、例えばプレゼンテーションやテレビ会議のために用いられる資料提示装置に関し、特に、パーソナルコンピュータ等と併用してプレゼンテーションやテレビ会議を行うのに好適なものに関する。
【０００２】
【従来の技術】
載置した資料（文章や表等を記載または印刷した紙片等）をビデオカメラ等で撮影し、その画像信号を大画面のモニターに送る資料提示装置が、例えば研究発表会場のような各種の会場でプレゼンテーションを行うために用いられている。また、このような資料提示装置は、テレビ会議においても、資料の画像信号を回線を通して会議の相手方のモニターに送るために用いられている。
【０００３】
他方、近年は、携帯可能なノート型パーソナルコンピュータの普及に伴い、プレゼンテーションやテレビ会議において、各人が持ち込んだパーソナルコンピュータからの画像信号をモニターに送ることも多くなってきている。
【０００４】
従来、例えばこのような資料提示装置とパーソナルコンピュータとを併用してプレゼンテーションを行う場合には、図１０に模式的に示すように、資料提示装置７１とパーソナルコンピュータ７２との両方をそれぞれケーブルでモニター７３に接続していた。
【０００５】
また、例えば資料提示装置のビデオカメラはＮＴＳＣ方式（垂直走査周波数，水平走査周波数がそれぞれ５９．９４Ｈｚ，１５．７３４ｋＨｚ）であるがパーソナルコンピュータはＸＧＡ（eXtended Graphics Array ）方式（垂直走査周波数，水平走査周波数がそれぞれ６０Ｈｚ，４８．４ｋＨｚ）であるというように、一般に資料提示装置とパーソナルコンピュータとは画像方式が異なっているので、モニター７３として、複数種類の画像方式の画像信号を表示可能なマルチスキャンモニターを用いていた。
【０００６】
【発明が解決しようとする課題】
しかし、このように資料提示装置とパーソナルコンピュータとの両方をモニターに接続すると、発表者の位置とモニターの位置とが離れている大会場では、長いケーブルが２本必要になってしまう。また、特にパーソナルコンピュータ用のケーブルにはあまり長いものはないので、そのような大会場でパーソナルコンピュータをモニターに接続することは困難であった。
【０００７】
しかも、マルチスキャンモニターの設置されていない会場では、資料提示装置とパーソナルコンピュータとの両方からの画像信号を表示させることができない。そして、マルチスキャンモニターは通常のモニターよりも高価なので、マルチスキャンモニターを設置することは、会場側にとってコスト高になってしまう。
【０００８】
さらに、発表者にとっても、資料提示装置とパーソナルコンピュータとを完全に別々に操作しなければならないので、操作が繁雑になり、流れよく円滑にプレゼンテーションを行うことが困難になる。
【０００９】
また、例えば資料提示装置とパーソナルコンピュータとを併用してテレビ会議を行う場合にも、やはり、会議の相手方のモニターがマルチスキャンモニターでない場合には資料提示装置とパーソナルコンピュータとの両方からの画像信号を表示させることができないとともに、資料提示装置とパーソナルコンピュータとを完全に別々に操作しなければならないので操作が繁雑になる。
【００１０】
本発明は、上述の点に鑑み、資料提示装置とパーソナルコンピュータとの両方をモニターに接続することなく、資料提示装置とパーソナルコンピュータとを併用してプレゼンテーションを行えるようにすることや、マルチスキャンモニターを用いることなく、資料提示装置とパーソナルコンピュータとを併用してプレゼンテーションやテレビ会議を行えるようにすることや、資料提示装置とパーソナルコンピュータとを併用してプレゼンテーションやテレビ会議を行う際の操作性を向上させることを課題としてなされたものである。
【００１１】
【課題を解決するための手段】
この課題を解決するために、本出願人は、請求項１に記載のように、提示する資料を撮影するズーム機能付き撮像手段と、この撮像手段のズーム倍率を調整する調整手段と、外部から入力された画像信号の画像方式を識別する識別手段と、この調整手段で調整されたズーム倍率に応じて、この外部から入力された１画面分の画像信号から画像信号を切り出す切り出し手段と、この切り出し手段で切り出された画像信号を、この識別手段の識別結果に基づいてこの撮像手段の画像方式の１画面分の画像信号に変換する変換手段と、この撮像手段から出力された画像信号とこの変換手段から出力された画像信号とのいずれか一方を選択する選択手段とを備え、この選択手段で選択された画像信号が外部に出力されるようにした資料提示装置を提案する。
【００１２】
この資料提示装置では、外部から入力された画像信号の画像方式が、識別手段によって識別される。また、この資料提示装置の撮像手段のズーム倍率の調整用にこの資料提示装置に備わっている調整手段の調整結果に応じて、１画面分の外部入力画像信号から、切り出し手段によって画像信号が切り出される（すなわち、１倍率の場合には画面全体の画像信号が切り出され、１倍率よりも大きい場合には、その倍率に応じて、画面の一部の画像信号が切り出される）。
【００１３】
そして、この識別手段の識別結果に基づき、この切り出し手段で切り出された外部入力画像信号が、変換手段により、この資料提示装置の撮像手段と同じ画像方式の１画面分の画像信号に変換される（すなわち１倍率よりも大きい場合には画像が拡大されて変換される）。
【００１４】
そして、この変換手段で変換された外部入力画像信号と撮像手段から出力された画像信号とのいずれか一方が選択手段で選択され、この選択された画像信号がこの資料提示装置から外部に出力される。
【００１５】
このように、この資料提示装置では、この資料提示装置の撮像手段からの画像信号と外部入力画像信号とを、選択的に切り換えて出力してモニターに送ることができる。
【００１６】
また、外部入力画像信号が、この資料提示装置の撮像手段と同じ画像方式に変換されるので、モニターとしては、この撮像手段の画像方式の画像信号だけを表示可能なものを用いれば足りる。
【００１７】
また、撮像手段からの画像信号と外部入力画像信号とのいずれをモニターに送るかが、この資料提示装置に備わっている選択手段で切り換えられ、且つ、この資料提示装置の撮像手段のズーム倍率の調整用にこの資料提示装置に備わっている調整手段によって、外部入力画像のほうも拡大／縮小してモニターに表示される。
【００１８】
したがって、例えばパーソナルコンピュータからの画像信号を外部入力画像信号としてこの資料提示装置に入力させれば、資料提示装置とパーソナルコンピュータとの両方をモニターに接続することなく資料提示装置とパーソナルコンピュータとを併用してプレゼンテーションを行うことや、マルチスキャンモニターを用いることなく資料提示装置とパーソナルコンピュータとを併用してプレゼンテーションやテレビ会議を行うことができるようになる。
【００１９】
しかも、資料提示装置とパーソナルコンピュータとを完全に別々に操作しなくても、資料提示装置のほうの選択手段や調整手段によってパーソナルコンピュータからの画像を拡大／縮小してモニターに表示することができるので、資料提示装置とパーソナルコンピュータとを併用してプレゼンテーションやテレビ会議を行う際の操作性が向上するようになる。
【００２０】
なお、この資料提示装置において、一例として請求項２に記載のように、撮像手段としてズーム機能及びパン，チルト機能付きの撮像手段を備えるとともに、このパン，チルト動作を指示する指示手段をさらに備えるようにして、切り出し手段には、１画面分の外部入力画像信号から、この指示手段で指示されたパン，チルト動作に応じた画面位置の画像信号を切り出させることが好適である。
【００２１】
それにより、資料提示装置に備わっているこの指示手段によって、外部入力画像のほうもパン，チルトしてモニターに表示させることができるようになるので、資料提示装置とパーソナルコンピュータとを併用してプレゼンテーションやテレビ会議を行う際の操作性が一層向上するようになる。
【００２２】
また、この資料提示装置において、一例として請求項３に記載のように、変換手段を、外部から入力された画像信号の書き込み及び読み出しを行うための記憶手段と、この記憶手段への画像信号の書き込み及び読み出しを制御する制御手段と、この記憶手段から読み出された画像信号を識別手段の識別結果に基づいて補間及び／または間引きする補間／間引き手段とを用いて構成し、この制御手段に、記憶手段内の１画面分の画像信号から画像信号を切り出して読み出させることにより、切り出し手段を兼ねさせることが好適である。
【００２３】
それにより、変換手段で画像信号の切り出しと変換との両方が行われるようになり、切り出し手段と変換手段とを別々に設ける必要がなくなるので、この資料提示装置の回路構成の小型化や処理の簡略化が実現されるようになる。
【００２４】
また、この資料提示装置において、識別手段は、一例として請求項４に記載のように、外部入力画像信号中の水平同期信号の繰り返し周期内での基準クロックの入力数を計数する第１の計数手段と、外部入力画像信号中の垂直同期信号の繰り返し周期内でのこの水平同期信号の入力数を計数する第２の計数手段と、これらの計数手段の計数結果と画像方式を示す情報とを対応させて格納した記憶手段とを用いて構成すればよい。
【００３９】
【発明の実施の形態】
以下では、各種の会場でプレゼンテーションを行うために用いられる資料提示装置に本発明を適用した例について説明する。
【００４０】
図１は、本発明を適用した資料提示装置の外観の一例を示す斜視図である。この資料提示装置１には、その上部の平板状の書画台２に載置された資料（文章や表等を記載または印刷した紙片等）１１を撮影するためのＮＴＳＣ方式のビデオカメラ３（ズーム機能及びパン，チルト機能付きのもの）が設けられるとともに、このビデオカメラ３の操作等を行うための操作パネル４が書画台２上に設けられている。また、資料１１を照らす照明器５も設けられている。
【００４１】
書画台２には、発表者が持ち込んだノート型パーソナルコンピュータ（以下単にコンピュータと呼ぶ）１２を載置するスペースも確保されている。書画台２の側面には、このスペースに載置したコンピュータ１２からの画像信号を入力する画像入力端子が設けられており、この画像入力端子とコンピュータ１２の画像出力端子とをケーブル１３で接続することにより、コンピュータ１２からの画像信号がこの資料提示装置１に入力されるようになっている。
【００４２】
また、書画台２の側面には、発表者が会場内の任意の対象（例えば来場者のうち質問をしている人）を撮影するために持ち込んだＮＴＳＣ方式のカメラ一体型ＶＴＲ（以下単にＶＴＲと呼ぶ）１５からの画像信号を入力するための画像入力端子も設けられている。
【００４３】
書画台２の側面には、画像信号を赤外線通信によって送信する赤外線発光部６が設けられるとともに、画像出力端子が設けられている。
【００４４】
この赤外線発光部６から、会場内に設置されている赤外線通信インターフェース付きの大画面のモニター１６（ＮＴＳＣ方式の画像信号だけを表示可能なもの）に向けて画像信号を送信するか、あるいは、この資料提示装置１の画像出力端子とモニター１６の画像入力端子とをケーブル７で接続することにより、この資料提示装置１からモニター１６に画像信号が送られるようになっている。
【００４５】
資料提示装置１の全体の大きさは、発表者が会場内で資料提示装置１を持ち運んで移動させることができる程度の大きさになっている。
【００４６】
図２は、この資料提示装置１の操作パネル４上の各種キーのうち、本発明に関係する部分を示す図である。操作パネル４には、資料提示装置１に接続したコンピュータ１２からの画像信号を選択するためのキー２１と、この資料提示装置１のビデオカメラ３から出力された画像信号を選択するためのキー２２と、資料提示装置１に接続したＶＴＲ１５からの画像信号を選択するためのキー２３とが配置されている。
【００４７】
また、操作パネル４には、ビデオカメラ３のズーム倍率を調整するためのキー２４，２５（ズーム倍率を段階的に下げるキー２４と、ズーム倍率を段階的に上げるキー２５）が配置されるとともに、ビデオカメラ３のパン，チルト動作を指示するためのキー２６，２７（パン動作を指示するキー２６と、チルト動作を指示するキー２７）が配置されている。
【００４８】
図３は、この資料提示装置１の回路構成の一例を示すブロック図である。資料提示装置１には、画像方式変換部３１と、画像方式識別部３２と、３入力１出力のセレクタ３３とが設けられている。
【００４９】
コンピュータ１２から資料提示装置１に入力された画像信号（ここではこの画像信号がＸＧＡ方式であるとして説明を行う）は、画像方式識別部３２に入力されるとともに、画像方式変換部３１に入力される。
【００５０】
画像方式識別部３２は、入力された画像信号の画像方式を識別するものである。図４は、この画像方式識別部３２の回路構成の一例を示すブロック図である。画像方式識別部３２には、基準クロック発生部４１と、水平時間計測部４２と、ＲＯＭから成る変換テーブル４３と、同期分離部４４と、垂直ライン数計測部４５とが設けられている。また、図５は、画像方式識別部３２の動作の一例を示すタイミングチャートである。
【００５１】
図４に示すように、画像方式識別部３２に入力されたコンピュータ１２からのＸＧＡ方式の画像信号は、同期分離部４４に入力される。同期分離部４４は、この画像信号に多重化されている水平同期信号ＨＳと垂直同期信号ＶＳとを分離する。
【００５２】
この水平同期信号ＨＳは水平時間計測部４２と垂直ライン数計測部４５とに入力され、この垂直同期信号ＶＳは垂直ライン数計測部４５に入力される。
【００５３】
なお、同期信号が多重化されることなく付加されている画像方式の画像信号が画像方式識別部３２に入力される場合には、その画像信号を、同期分離部４４を経ることなく水平時間計測部４２及び垂直ライン数計測部４５に入力させてよい。
【００５４】
基準クロック発生部４１は、例えば水晶発振器から成っており、通常の画像信号の水平同期信号の繰り返し周期よりも十分に短い周期の基準クロックＣＬＫを発生する。この基準クロックＣＬＫは、水平時間計測部４２に入力される。
【００５５】
水平時間計測部４２は、例えばバイナリカウンタから成っており、図５に示すように、水平同期信号ＨＳの繰り返し周期内での基準クロックＣＬＫの入力数Ｍを計数して、その計数値Ｍを示す信号を出力する。
【００５６】
垂直ライン数計測部４５も、例えばバイナリカウンタから成っており、図５に示すように、垂直同期信号ＶＳの繰り返し周期内での水平同期信号ＨＳの入力数Ｎを計数して、その計数値Ｎを示す信号を出力する。
【００５７】
水平時間計測部４２及び垂直ライン数計測部４５の出力信号は、変換テーブル４３に入力される。変換テーブル４３は、これらの出力信号の示す計数値と画像方式を示す情報とが一対一に対応させて格納されており、計数値Ｍ，Ｎに対応する画像方式を示す情報が読み出される。
【００５８】
このようにして、画像方式識別部３２では、入力された画像信号の水平同期信号の繰り返し周期及びライン数から、その画像信号の画像方式が識別される。この識別した画像方式を示す信号Ｄ（変換テーブル４３から読み出された画像方式を示す情報）は、図３の画像方式変換部３１に送られる。
【００５９】
画像方式変換部３１は、入力された画像信号の画像方式を変換するものである。図６は、この画像方式変換部３１の回路構成の一例を示すブロック図である。画像方式変換部３１には、Ａ／Ｄ変換器５１と、画像メモリ５２と、補間／間引き制御部５３と、Ｄ／Ａ変換部５４と、入力系同期信号発生部５５と、メモリ制御部５６と、出力系同期信号発生部５７とが設けられている。
【００６０】
画像方式変換部３１に入力されたコンピュータ１２からのＸＧＡ方式の画像信号は、Ａ／Ｄ変換器５１と入力系同期信号発生部５５とに入力される。入力系同期信号発生部５５からは、入力された画像信号に同期した信号が発生して、Ａ／Ｄ変換器５１とメモリ制御部５６とに送られる。
【００６１】
Ａ／Ｄ変換器５１に入力されたＸＧＡ方式の画像信号は、この入力系同期信号発生部５５からの信号に同期してデジタル変換されて、画像メモリ５２に送られる。
【００６２】
メモリ制御部５６は、入力系同期信号発生部５５からの信号に同期して、画像メモリ５２に送られたＸＧＡ方式の画像信号を、画像メモリ５２に書き込む。
【００６３】
出力系同期信号発生部５７からは、この画像方式変換部３１から画像信号を出力する際の同期信号が発生して、メモリ制御部５６と補間／間引き制御部５３とＤ／Ａ変換部５４とに送られる。
【００６４】
また、ビデオカメラ３のズーム倍率の調整用のキー２４，２５及びビデオカメラ３のパン，チルト動作の指示用のキー２６，２７（図２）の操作に基づく信号が、画像方式変換部３１にも送られて、メモリ制御部５６と補間／間引き制御部５３とに入力される。
【００６５】
メモリ制御部５６は、画像メモリ５２に画像信号を書き込んだ後、出力系同期信号発生部５７からの信号に同期して、画像メモリ５２からこの画像信号を読み出す。
【００６６】
その際、メモリ制御部５６は、画像メモリ５２に書き込んだ１画面分の画像信号のうち、キー２６，２７で指示されたビデオカメラ３のパン，チルト動作に応じた画面位置の画像信号を切り出して読み出す。すなわち、例えばビデオカメラ３を左上にパン，チルトさせることがキー２６，２７で指示されている場合には、１画面分の画像信号のうち、左上の画面位置の画像信号を切り出して読み出す。
【００６７】
またメモリ制御部５６は、パン，チルト動作に応じた画面位置から、キー２４，２５で調整されたビデオカメラ３のズーム倍率に応じた画像信号を切り出す。すなわち、１倍率の場合には、パン，チルト動作に応じた画面位置の全体の画像信号を切り出し、１倍率よりも大きい場合には、その倍率に応じて、この画面位置の一部の画像信号を切り出す。
【００６８】
画像メモリ５２から読み出されたＸＧＡ方式の画像信号は、補間／間引き制御部５３に入力される。また、補間／間引き制御部５３には、画像方式識別部３２から画像方式変換部３１に送られた画像方式を示す信号Ｄが入力される。
【００６９】
補間／間引き制御部５３は、この信号Ｄに基づき、出力系同期信号発生部５７からの信号に同期して、入力されたＸＧＡ方式の画像信号をＮＴＳＣ方式の画像信号に変換する。
【００７０】
その際、補間／間引き制御部５３は、キー２４，２５で調整されたビデオカメラ３のズーム倍率に応じて、１画面分の画像信号から切り出して読み出された画像信号を１画面分の画像信号に（すなわち１倍率よりも大きい場合には画像を拡大して）変換する。
【００７１】
補間／間引き制御部５３での変換処理は、信号Ｄの示す画像方式のほうがＮＴＳＣ方式よりも水平解像度（１水平ラインあたりの画素数）や垂直解像度（ライン数）が少ない場合には、入力された画像信号を補間することにより１水平ラインあたりの画素数やライン数を増やすという方法で行われる。
【００７２】
他方、信号Ｄの示す画像方式のほうがＮＴＳＣ方式よりも１水平ラインあたりの画素数やライン数が多い場合には、この変換処理は、入力された画像信号を間引くことにより１水平ラインあたりの画素数やライン数を減らすという方法で行われる。
【００７３】
図７は、補間によってＮＴＳＣ方式への変換が行われる様子の一例を示す図である。入力画像信号に基づき、移動平均やＦＩＲフィルタを用いた計算を行うことにより、補間信号が求められる。そして、入力画像信号が、この補間信号で補間されることによりＮＴＳＣ方式に変換されて、補間／間引き制御部５３から出力される。
【００７４】
なお、ＸＧＡ方式では１水平ラインあたりの画素数，ライン数がそれぞれ１０２４，７６８であるのに対し、ＮＴＳＣ方式では１水平ラインあたりの画素数，ライン数はそれぞれ例えば７２０，４８０なので、ＸＧＡ方式の画像信号のＮＴＳＣ方式への変換は、間引きによって行われる。
【００７５】
補間／間引き制御部５３でＮＴＳＣ方式に変換された画像信号は、Ｄ／Ａ変換部５４で、出力系同期信号発生部５７からの信号に同期してアナログ変換された後、画像方式変換部３１から出力される。
【００７６】
なお、デジタル画像信号が画像方式変換部３１に入力される場合には、その画像信号を、Ａ／Ｄ変換器５１を経ることなく画像メモリ５２に送ればよい。また、画像方式変換部３１からデジタル画像信号を出力する場合には、補間／間引き制御部５３から出力された画像信号を、Ｄ／Ａ変換部５４を経ることなく画像方式変換部３１から出力すればよい。
【００７７】
図３に示すように、画像方式変換部３１から出力された画像信号は、セレクタ３３の１つの入力端に入力される。セレクタ３３の残りの２つの入力端には、ビデオカメラ３からの画像信号と、ＶＴＲ１５から資料提示装置１に入力された画像信号とが入力される。
【００７８】
セレクタ３３には、図２のキー２１〜２３の操作に基づく信号が選択制御信号として与えられる。セレクタ３３は、キー２１が操作されると、画像方式変換部３１からの画像信号（ＮＴＳＣ方式に変換されたコンピュータ１２からの画像信号）を選択して出力し、キー２２が操作されると、ビデオカメラ３からの画像信号（書画台２に載置された資料１１の画像信号）を選択して出力し、キー２３が操作されると、ＶＴＲ１５からの画像信号を選択して出力する。
【００７９】
セレクタ３３から出力された画像信号は、図１の赤外線発光部６から送信されてモニター１６に送られるか、あるいは、図１の資料提示装置１の画像出力端子から出力されてケーブル７を介してモニター１６に送られる。
【００８０】
次に、この資料提示装置１を用いたプレゼンテーションの様子について説明する。発表者が、図１の書画台２に載置した資料１１を来場者に見せながら説明を行いたい場合には、図２のキー２２を操作する。すると、ビデオカメラ３で撮影された資料１１の画像信号が、図３のセレクタ３３で選択されて資料提示装置１からモニター１６に送られるので、この資料１１の画像がモニター１６に表示される。
【００８１】
その際、図２のキー２４〜２７を操作すると、ビデオカメラ３のズーム倍率の調整やパン，チルト動作が行われるので、この資料１１の画像が拡大／縮小やパン，チルトされて表示される。
【００８２】
他方、発表者が、資料提示装置１に接続したコンピュータ１２からの画像を来場者に見せながら説明を行いたい場合には、図２のキー２１を操作する。すると、コンピュータ１２からの画像信号が、図３の画像方式変換部３１及び画像方式識別部３２の処理によりＮＴＳＣ方式に変換された後、セレクタ３３で選択されて資料提示装置１からモニター１６に送られるので、このコンピュータ１２からの画像がモニター１６に表示される。
【００８３】
そしてその際、図２のキー２４〜２７を操作すると、画像方式変換部３１により、このコンピュータ１２からの画像がやはり拡大／縮小やパン，チルトされて表示される。
【００８４】
また他方、発表者が、ＶＴＲ１５で撮影した画像を来場者に見せたい場合には、図２のキー２３を操作する。すると、ＶＴＲ１５からの画像信号が、図３のセレクタ３３で選択されて資料提示装置１からモニター１６に送られるので、このＶＴＲ１５で撮影した画像がモニター１６に表示される。
【００８５】
このように、この資料提示装置１では、資料提示装置１のビデオカメラ３からの画像信号と、資料提示装置１に接続したコンピュータ１２からの画像信号とを、資料提示装置１に接続したＶＴＲ１５からの画像信号とを、選択的に切り換えて出力してモニター１６に送ることができる。
【００８６】
また、コンピュータ１２からの画像信号が、ビデオカメラ３と同じＮＴＳＣ方式に変換されるので、ＮＴＳＣ方式の画像信号だけを表示可能なモニター１６が設置されている会場で、コンピュータ１２からの画像のほうもこのモニター１６に表示させることができる。
【００８７】
しかも、資料提示装置１とコンピュータ１２とを完全に別々に操作しなくても、資料提示装置のほうのキー２１，２４〜２７によって、コンピュータ１２からの画像を拡大／縮小やパン，チルトしてモニター１６に表示させることができる。
【００８８】
したがって、資料提示装置１とコンピュータ１２との両方をモニターに接続することなく、且つ、マルチスキャンモニターを用いることなく、資料提示装置１とコンピュータ１２とを併用してプレゼンテーションを行うことができるようになっており、しかも、資料提示装置１とコンピュータ１２とを併用してプレゼンテーションを行う際の操作性も向上している。
【００８９】
最後に、この資料提示装置１の回路構成の別の例について説明する。図８は、この回路構成の別の一例を示すブロック図であり、同図において図３と共通する部分には同一符号を付して重複説明を省略する。
【００９０】
この例では、ビデオカメラ３からの画像信号とＶＴＲ１５からの画像信号とが、２入力１出力のセレクタ６１の各入力端にそれぞれ入力され、図２のキー２２，２３の操作に基づく信号が、このセレクタ６１に選択制御信号として与えられる。
【００９１】
セレクタ６１は、キー２２が操作されるとビデオカメラ３からの画像信号を選択して出力し、キー２３が操作されるとＶＴＲ１５からの画像信号を選択して出力する。セレクタ６１から出力された画像信号は、画像方式変換部３１（図６に示したのと同じ構成のものであってよい）に入力される。
【００９２】
他方、コンピュータ１２から資料提示装置１に入力された画像信号は画像方式識別部３２（図４に示したのと同じ構成のものであってよい）に入力され、画像方式識別部３２で識別した画像方式を示す信号Ｄが画像方式変換部３１に送られる。
【００９３】
画像方式変換部３１では、この信号Ｄに基づき、ここでは入力されたＮＴＳＣ方式の画像信号をＸＧＡ方式に変換する。
【００９４】
画像方式変換部３１から出力された画像信号は、２入力１出力のセレクタ６３の１つの入力端に入力される。セレクタ６３の残りの１つの入力端にはコンピュータ１２からの画像信号が入力され、図２のキー２１〜２３の操作に基づく信号がこのセレクタ６３に選択制御信号として与えられる。
【００９５】
セレクタ６３は、キー２１が操作されるとコンピュータ１２からの画像信号を選択して出力し、キー２２または２３が操作されると画像方式変換部３１からの画像信号を選択して出力する。
【００９６】
セレクタ３３から出力された画像信号は、図１の赤外線発光部６から送信されるか、あるいは、図１の資料提示装置１の画像出力端子から出力される。
【００９７】
この図８の構成の場合には、ＸＧＡ方式の画像信号だけを表示可能なモニターが設置されている会場で、ビデオカメラ３やＶＴＲ１５からの画像のほうもこのモニターに表示させることができる。
【００９８】
図９は、この回路構成の別のさらに一例を示すブロック図であり、同図において図３と共通する部分には同一符号を付して重複説明を省略する。
【００９９】
この例では、ビデオカメラ３からの画像信号とコンピュータ１２からの画像信号とＶＴＲ１５からの画像信号とが、３入力１出力のセレクタ７１の各入力端にそれぞれ入力され、図２のキー２１〜２３の操作に基づく信号が、このセレクタ７１に選択制御信号として与えられる。
【０１００】
セレクタ７１は、キー２１が操作されると、コンピュータ１２からの画像信号を選択して出力し、キー２２が操作されると、ビデオカメラ３からの画像信号を選択して出力し、キー２３が操作されると、ＶＴＲ１５からの画像信号を選択して出力する。
【０１０１】
セレクタ７１から出力された画像信号は、画像方式変換部３１（図６に示したのと同じ構成のものであってよい）に入力されるとともに画像方式識別部３２（図４に示したのと同じ構成のものであってよい）に入力され、画像方式識別部３２で識別した画像方式を示す信号Ｄが、画像方式識別部３２から画像方式変換部３１に送られる。
【０１０２】
画像方式変換部３１では、この信号Ｄに基づき、ここでは入力された画像信号を所定の画像方式に変換する。
【０１０３】
画像方式変換部３１から出力された画像信号は、図１の赤外線発光部６から送信されるか、あるいは、図１の資料提示装置１の画像出力端子から出力される。
【０１０４】
この図９の構成の場合には、ＮＴＳＣ方式ともＸＧＡ方式とも異なる画像方式（例えばＸＧＡ方式よりも旧式のパーソナルコンピュータ用の画像方式であるＶＧＡ方式）の画像信号だけを表示可能なモニターが設置されている会場で、ビデオカメラ３，コンピュータ１２，ＶＴＲ１５の全てからの画像をこのモニターに表示させることができる。
【０１０５】
換言すれば、特定の画像方式の画像信号だけを表示可能なモニターが設置されている会場でプレゼンテーションを行う際に、ビデオカメラ３，コンピュータ１２，ＶＴＲ１５の全てからの画像信号を、そのモニターの画像方式に合わせるように変換することができる。
【０１０６】
なお、以上の例では、ＶＴＲからの画像信号を入力する入力端子を資料提示装置１に設けて、ビデオカメラ３からの画像信号と、パーソナルコンピュータからの画像信号と、ＶＴＲからの画像信号とが、選択的に切り換えて資料提示装置１から出力されるようにしている。しかし、別の例として、ＶＴＲからの画像信号を入力する入力端子を設けず、ビデオカメラ３からの画像信号とパーソナルコンピュータからの画像信号とだけが選択的に切り換えて資料提示装置１から出力されるようにしてもよい。
【０１０７】
また、以上の例では、１台だけのパーソナルコンピュータからの画像信号を入力する入力端子を資料提示装置１に設けている。しかし、複数台のパーソナルコンピュータからの画像信号を入力する入力端子を資料提示装置１に設けるとともにこれらの画像信号をＮＴＳＣ方式に変換し、ビデオカメラ３からの画像信号とこれらの画像信号とが選択的に切り換えて資料提示装置１から出力されるようにしてもよい。
【０１０８】
また、以上の例では、ビデオカメラ３やＶＴＲ１５がＮＴＳＣ方式でありコンピュータ１２がＸＧＡ方式であるとして説明を行っているが、ビデオカメラ３やＶＴＲ１５がＮＴＳＣ方式以外の画像方式（例えばＰＡＬ方式やハイビジョン）のものであってもよく、コンピュータ１２がＸＧＡ方式以外の画像方式（例えばＳＶＧＡ方式）のものであってもよい。
【０１０９】
その場合にもやはり、図３の回路構成の場合には、ビデオカメラ３と同じ画像方式の画像信号だけを表示可能なモニターが設置されている会場で、コンピュータ１２からの画像のほうもこのモニターに表示させることができ、図８の回路構成の場合には、コンピュータ１２と同じ画像方式の画像信号だけを表示可能なモニターが設置されている会場で、ビデオカメラ３やＶＴＲ１５からの画像のほうもこのモニターに表示させることができ、図９の回路構成の場合には、特定の画像方式の画像信号だけを表示可能なモニターが設置されている会場で、ビデオカメラ３，コンピュータ１２，ＶＴＲ１５の全てからの画像をこのモニターに表示させることができる。
【０１１０】
また、以上の例では、資料をビデオカメラで撮影してその画像信号をモニターに送る資料提示装置に本発明を適用している。しかし、例えば資料をスキャナーでスキャンしてその画像信号をモニターに送る資料提示装置にも本発明を適用してよい。
【０１１１】
また、ケーブルを介してモニターに画像信号を送る場合には、パラレル伝送を行なってもよく、あるいは、例えばＵＳＢ（Universal Serial Bus）やＩＥＥＥ１３９４のようなシリアルバスを用いてシリアル伝送を行なってもよい。
【０１１２】
また、以上の例では、プレゼンテーションを行うために用いられる資料提示装置に本発明を適用しているが、テレビ会議を行うために用いられる資料提示装置にも本発明を適用してよい。
【０１１３】
また、本発明は、以上の例に限らず、本発明の要旨を逸脱することなく、その他様々の構成をとりうることはもちろんである。
【０１１４】
【発明の効果】
以上のように、本発明に係る請求項１に記載の資料提示装置によれば、資料提示装置の撮像手段からの画像と外部入力画像とを、選択的に切り換えて、この撮像手段の画像方式の画像信号だけを表示可能なモニターに表示させることができるという効果と、資料提示装置に備わっている選択手段や調整手段によって、外部入力画像のほうも拡大／縮小してモニターに表示させることができるという効果とが得られる。
【０１１５】
したがって、例えばパーソナルコンピュータからの画像信号を外部入力画像信号としてこの資料提示装置に入力させれば、資料提示装置とパーソナルコンピュータとの両方をモニターに接続することなく資料提示装置とパーソナルコンピュータとを併用してプレゼンテーションを行うことや、マルチスキャンモニターを用いることなく資料提示装置とパーソナルコンピュータとを併用してプレゼンテーションやテレビ会議を行うことができ、しかも、資料提示装置とパーソナルコンピュータとを併用してプレゼンテーションやテレビ会議を行う際の操作性が向上するようになる。
【０１１６】
また、請求項２に記載の資料提示装置によれば、資料提示装置に備わっている指示手段によって、外部入力画像のほうもパン，チルトしてモニターに表示することができるという効果も得られる。したがって、資料提示装置とパーソナルコンピュータとを併用してプレゼンテーションやテレビ会議を行う際の操作性がより一層向上するようになる。
【０１１７】
また、請求項３に記載の資料提示装置によれば、変換手段で画像信号の切り出しと変換との両方が行われるようになり、切り出し手段と変換手段とを別々に設ける必要がなくなるので、資料提示装置の回路構成の小型化や処理の簡略化を実現できるという効果も得られる。
【図面の簡単な説明】
【図１】本発明を適用した資料提示装置の外観の一例を示す斜視図である。
【図２】図１の操作パネル上のキーの一例を示す平面図である。
【図３】図１の資料提示装置の回路構成の一例を示すブロック図である。
【図４】図３の画像方式識別部の回路構成の一例を示すブロック図である。
【図５】画像方式識別部の動作の一例を示すタイミングチャートである。
【図６】図３の画像方式変換部の回路構成の一例を示すブロック図である。
【図７】画像方式変換部での補間の一例を示すブロック図である。
【図８】図１の資料提示装置の回路構成の別の一例を示すブロック図である。
【図９】図１の資料提示装置の回路構成の別の一例を示すブロック図である。
【図１０】従来のプレゼンテーションでの資料提示装置とパーソナルコンピュータの併用の様子を示すブロック図である。
【符号の説明】
１  資料提示装置、  ２  書画台、  ３  ビデオカメラ、  ４  操作パネル、５  照明器、  ６  赤外線発光部、  ７，１３  ケーブル、  １１  資料、  １２  パーソナルコンピュータ、  １５  カメラ一体型ＶＴＲ、  １６  モニター、  ２１〜２７  キー、  ３１  画像方式変換部、  ３２  画像方式識別部、３３，６１，６３，７１  セレクタ、  ４１  基準クロック発生部、  ４２  水平時間計測部、  ４３  変換テーブル、  ４４  同期分離部、  ４５  垂直ライン数計測部、  ５１  Ａ／Ｄ変換器、  ５２  画像メモリ、  ５３  補間／間引き制御部、  ５４  Ｄ／Ａ変換部、  ５５  入力系同期信号発生部、  ５６  メモリ制御部、  ５７  出力系同期信号発生部
【図１】
0004378797.tif 000002
【図２】
0004378797.tif 000003
【図３】
0004378797.tif 000004
【図４】
0004378797.tif 000005
【図５】
0004378797.tif 000006
【図６】
0004378797.tif 000007
【図７】
0004378797.tif 000008
【図８】
0004378797.tif 000009
【図９】
0004378797.tif 000010
【図１０】
0004378797.tif 000011